(57)【要約】【課題】保管時や運搬時の取扱性がよく、梱包も容易であるとともに、現場での設置作業が容易であり、さらには、法面に設置したときの両側の網状側枠の地山への食込みを防止して所定の型枠断面積を容易に確保し得るとともに、現場での設置時に容易に位置調整や修正が可能な、施工性のよい法枠施工方法を提供する。【解決手段】スペーサ５を網状側枠２に対して上下にスライド可能かつ回動可能に装着した法枠用型枠１を用い、スペーサ５を上限位置へスライドさせて網状側枠２の上下両縁の間に収まるように折畳んだ状態で、法枠用型枠１を施工場所に搬入し、しかる後、その搬入された法枠用型枠１を開き、前記スペーサ５を下限位置へスライドさせて縦棒７の下部を網状側枠２の下縁より下側に突出させ、予め地盤上に設置したラス金網等の金網に掛止させて法枠用型枠１を所定位置に位置決めした状態で法枠を形成する。【選択図】図１
2007218083.tif 000002
【特許請求の範囲】
【請求項１】
縦線と横線が交差する一対の網状側枠を、上下の横棒とそれらの横棒を連結する縦棒とからなるスペーサで連結するとともに、そのスペーサの横棒を前記網状側枠の縦線に対して上下にスライド可能かつ回動可能に装着した法枠用型枠を用い、前記スペーサを上限位置へスライドさせて前記縦棒の上下両端が網状側枠の上下両縁の間に収まるように折畳んだ状態で法枠用型枠を施工場所に搬入し、しかる後、その搬入された法枠用型枠を開き、前記スペーサを下限位置へスライドさせて前記縦棒の下部を網状側枠の下縁より下側に突出させ、予め地盤上に設置したラス金網等の金網に掛止させて前記法枠用型枠を所定位置に位置決めした状態で法枠を形成することを特徴とする法枠施工方法。
【請求項２】
前記一対の網状側枠の上辺及び下辺が実質上平坦に形成された法枠用型枠を用いることを特徴とする請求項１に記載の法枠施工方法。
【発明の詳細な説明】
【技術分野】
【０００１】
本発明は、斜面安定化用の法枠を形成するための法枠施工方法に関する。
【背景技術】
【０００２】
斜面を安定化するための法枠用型枠として、次の特許文献１、２に折畳み可能な法枠用型枠が開示されている。
【特許文献１】実用新案登録第２５４９１７４号公報
【特許文献２】特許第３０１０２４５号公報
【０００３】
上記特許文献１の公報には、相対向する２枚の枠材と、これらの枠材間に折り畳み自在に連結する連結材とよりなる法枠用型枠が開示されている。前記枠材は複数の縦線と横線とを縦横方向に向けて編成した金網からなり、各枠材を構成する最上位の横線から上方に突出する縦線の突出部が１本おきに相対向する枠材の内側に折曲して最上位の横線に巻付いていると共に、前記折曲加工した縦線の間に位置する各線材の上部を最上位の横線の下方で切断して短寸部を形成している。これにより、コテによる法枠の仕上げ作業を円滑に行なうとともに、取扱性と防錆効果の向上を図っている。
【０００４】
上記特許文献２の公報には、金属製の縦線と横線とを格子状に編み組して形成した横長い金網製側板を向い合わせて配置し、その金網製側板間へ適宜間隔でフープ筋とサポート筋とを配置して連結した折り畳み可能な法枠用金網が開示されており、前記金網製側板の上端縁のみを予め合成樹脂製材料で密着被覆した点が記載されている。これにより、法面における作業の安全性を確保すると共に、耐久性の向上を図っている。
【発明の開示】
【発明が解決しようとする課題】
【０００５】
しかしながら、上記公報記載の型枠は、いずれも対向する一対の金網状側枠の上辺側に突出する線材のみを折曲げあるいは被覆処理している。すなわち、上記特許文献１の公報の法枠用型枠は、型枠上辺を構成する最上位の横線に対し縦線の上端部を折り曲げて巻付けているが、下辺側の縦線については、端部が横線から下に突出したまま切りっぱなしの状態である。上記特許文献２の公報の法枠用金網は、金網上辺側の上端縁のみに対し縦線及び横線を合成樹脂材料で被覆しているが、下辺側の下端縁は縦線が下に突出したまま切りっぱなしの状態である。また、被覆された上辺についても下辺と同様に縦線は横線から突出している。
【０００６】
上記従来技術のように型枠の下辺側に縦線端部が突出していると、以下のような不具合を生じる。
（１）型枠を地山法面に設置したときに、特に柔らかい地盤ではこの縦線端部が地山に食込み、型枠の高さが低くなって設計上の法枠高さが得られず所定の安定化が達成されないおそれを生じる。これに対処するためには、縦線の食込み量に応じて型枠より高く余分にコンクリートを吹付けたり、あるいは予め現場に応じた縦線の食込み量を想定してその分の高さを継ぎ足して型枠を製作する必要がある。このような現場での余分なコンクリート打ちや型枠の継ぎ足しは面倒であり作業性が低下する。
（２）型枠の保管時や搬送時あるいは現場で設置場所への持ち運び中に、突出した下辺側の縦線に衣服等が触れて破れたり、他の部材に触れて傷付けるおそれがあり、取扱いに注意を要する。このため、搬送のための梱包も厳重にしなければならない。
（３）型枠を設置場所に一旦置いた後、位置を修正しようとする場合に、型枠を持ち上げて、食込んだ縦線を地山から抜いてから、型枠全体を持ち上げた状態で位置をずらせなければならず、大きな労力を要し作業性が悪い。例えば、植栽用の土壌安定化のために地盤面に菱金網を敷く場合があるが、この場合、型枠を仮置きした後に、所定の位置にずらそうとしても型枠下辺に突出する縦線が菱金網に引っ掛って位置修正が非常にやりにくい。
【０００７】
本発明は、保管時や運搬時の取扱性がよく、梱包も容易であるとともに、現場での設置作業が容易であり、さらには、法面に設置したときの両側の網状側枠の地山への食込みを防止して所定の型枠断面積を容易に確保し得るとともに、現場での設置時に容易に位置調整や修正が可能な、施工性のよい法枠施工方法を提供することを目的とする。
【課題を解決するための手段】
【０００８】
前記課題を解決するため、請求項１の発明では、縦線と横線が交差する一対の網状側枠を、上下の横棒とそれらの横棒を連結する縦棒とからなるスペーサで連結するとともに、そのスペーサの横棒を前記網状側枠の縦線に対して上下にスライド可能かつ回動可能に装着した法枠用型枠を用い、前記スペーサを上限位置へスライドさせて前記縦棒の上下両端が網状側枠の上下両縁の間に収まるように折畳んだ状態で法枠用型枠を施工場所に搬入し、しかる後、その搬入された法枠用型枠を開き、前記スペーサを下限位置へスライドさせて前記縦棒の下部を網状側枠の下縁より下側に突出させ、予め地盤上に設置したラス金網等の金網に掛止させて前記法枠用型枠を所定位置に位置決めした状態で法枠を形成するという施工方法を採用した。さらに、請求項２の発明では、前記法枠用型枠を構成する一対の網状側枠の上辺及び下辺が実質上平坦に形成された型枠を用いるという施工方法を採用した。
【発明の効果】
【０００９】
請求項１の発明によれば、施工場所への運搬時には、スペーサを両側の網状側枠間に収めて折畳むことが可能なことから、保管時や運搬中の取扱い性の向上、あるいは梱包の簡素化にきわめて有効であるとともに、施工時には、スペーサの縦棒の下部を網状側枠より突出させて予め地盤上に設置したラス金網等の金網に掛止させることにより、前記法枠用型枠を所定位置に的確に位置決めした状態で法枠を形成することが可能である。すなわち、運搬時に縦棒の引っ掛かりがなくなり取扱い性がよくなるとともに梱包が簡素化でき、使用時には地山にラス金網（菱金網）等の金網を敷くことによって型枠が滑らず施工作業が円滑にできる。なお、スペーサの遊びは自由落下により移動可能としてもよいし、または軽いスライド抵抗を与えて手で移動させるようにしてもよい。自由落下可能とすれば、型枠を上下反転するだけでスペーサが下側に移動する。型枠設置後に位置変更する場合には、スペーサを持ち上げて位置調整できるため、従来のようにスペーサが突出して固定された場合に比べ容易に位置変更ができる。
【００１０】
さらに、請求項２の発明によれば、型枠として一対の網状側枠の上辺及び下辺が実質上平坦に形成されたものを用いたので、従来の法枠用型枠において網状側枠を構成する縦線の突出部が地盤に対して食込むことによって生じた前記不具合が解消され、所定の型枠断面積を容易に確保できるようになるとともに、保管時や運搬時の取扱性の改善や梱包の簡素化を更に向上することができる。また、前記縦線の突出部による衣服等に対する損傷が解消されるとともに、現場での設置時における型枠の位置調整や修正を更に円滑に行うことが可能である。
【発明を実施するための最良の形態】
【００１１】
以下図面を参照して本発明の実施の形態について説明する。図１は本発明に用いる法枠用型枠を例示した構成説明図である。法枠用型枠１を構成する一対の網状側枠２は全長にわたってその上下縁から縦線３が突出しない形状を採用している。このような網状側枠２からなる型枠１において、スペーサ５の横棒６を網状側枠２の縦線３にスライド可能に取り付け、その横棒６のスライド幅Ｚ（遊び）を１対の上下の横線４間とした。横棒６が上側の横線４ｄ側（スペーサ５の上限位置）にあるときは（図の点線位置）、スペーサ５全体が網状側枠２の上下幅の範囲内に収まり、縦棒７の上端は側枠上縁（最上位の横線４ｆ）より下にあり、かつ下端は側枠下縁（最下位の横線４ｇ）の上にあって、縦棒７の下端が縦線３の下端（最下位の横線４ｇ）から下にはみ出さない。横棒６が下側の横線４ｅ側（スペーサ５の下限位置）にあるときは（図の実線位置）、縦棒７の下端は縦線３の下端（最下位置の横線４ｇ）から下に突出する。この突出長さは例えば地山に敷いた植生用金網に引っ掛る程度の適当な長さとする。なお、型枠１の全てのスペーサをこのようなスライド可能なスペーサ５としてもよいし、あるいは一部のスペーサ（例えば両端または一方の端部のスペーサ）のみをスライド可能としてもよい。この場合、他のスペーサは網状型枠２の上下幅の範囲内に収まるように形成される。
【００１２】
法枠用型枠１を折り畳んで運搬するときは、スペーサ５を上限位置に移動させる。この場合、型枠１を上下反転させてスペーサ５を自重で落下させることにより上限位置に移動させることができる。自重では落下しない程度の多少のスライド抵抗を持たせ、手で持上げるようにしてもよい。これにより持ち運びの際に型枠上下への突出部分がなくなり取扱い性が向上するとともに梱包が簡素化され、ダンボールなどの梱包材を大幅に削減できる。
【００１３】
法枠施工時には、上下を適正に配置して型枠１を開くことにより自重で（または手で）スペーサを下限位置に移動させる。これにより、スペーサの縦棒７の下端が網状側枠２の下縁から突出するので、地山に予め敷いた植生用金網等に縦棒７の下部が引っ掛かり、型枠が滑らず所定位置に的確に位置決めされ、施工作業が円滑にできる。しかして、型枠が所定位置に位置決めされた後、コンクリートの吹付けなどにより所期の法枠を形成することになる。
【００１４】
スペーサ５の下限位置での法枠内に設置する鉄筋のかぶりを適正に確保できるように遊びの範囲を定めるため、スペーサ５の下側の横棒の高さを調整したり、網状側枠２の横線４の間隔を変えて遊びの長さを変えてもよい。スペーサ５の形状は縦棒が２本の井桁形状に限らず、縦棒７が１本でキ字状としてもよい。また、上側の横棒６の中央部を開口させ、左右の横棒の自由端側を縦棒に連結したスペーサとし、その開口から下側鉄筋を配設できる型枠としてもよい。
【００１５】
図２は、本発明に用いる法枠用型枠の全体を例示した斜視図である。図中、符号は図１と同様に付してある。この法枠用型枠１は、一対の網状側枠２，２を複数のスペーサ５（図は１個のみ示す）を介して相互に重ね合わせて折畳み可能に連結したものである。各網状側枠２は、縦線３と横線４を格子状に織り込んだクリンプ金網である。各縦線３は、図中のＡ部やＢ部で示したように交互に上下端部を折り曲げて上辺又は下辺の横線４に巻付けるとともに、それらの他端部を短く切断して、網状側枠２の上辺及び下辺より上下外側に突出しないように構成している。
【００１６】
さらに、各横線４の端部は、前記縦線３の場合と同様に、折り曲げて縦線３に巻付けることにより（Ｃ部詳細参照）、横方向両端部の縦線３より外側に突出しないように構成している。したがって、網状側枠２の外周は上下左右全周が実質上平滑な直線状となって、切りっぱなしの縦線や横線の端部が外側に突出しない。
【００１７】
また、スペーサ５は、前述の図１の例と同様に、上下にスライド可能に構成している。これにより、梱包時にはスペーサ５を両方の網状側枠２，２間に上下端部が突出しない状態で挟んで型枠を折畳んで簡易な梱包とすることができ、現場では、型枠を広げてスペーサ５を網状側枠２の下縁より下に突出するようにスライドさせて地山斜面に滑ることなく設置することができる。この場合、スペーサ形状を上下対称として、上下いずれの方向にもスライドして網状側枠から突出可能な形状とすれば、型枠の上下の方向性がなくなり、取扱い性がさらに向上する。
【図面の簡単な説明】
【００１８】
【図１】本発明に用いる法枠用型枠を例示した構成説明図である。
【図２】本発明に用いる法枠用型枠の全体を例示した斜視図である。
【符号の説明】
【００１９】
１：法枠用型枠、２：網状側枠、３：縦線、４：横線、５：スペーサ、６：横棒、７：縦棒
【図１】
2007218083.tif 000003
【図２】
2007218083.tif 000004